(57)【要約】【課題】  商品投入口における通路幅の変更作業を直観的に分かりやすい操作体系にして、使い勝手の向上を図った自動販売機の商品投入案内装置を提供する点にある。【解決手段】  一方の可動ガイド側板４Ｂを通路幅方向の複数位置で選択的に係合保持することにより、他方の固定ガイド側板２との間の通路幅Ｗを変更する第１通路幅変更操作手段Ｉと、この可動ガイド側板４Ｂにて設定された最小通路幅をさらに複数の通路幅Ｗに変更する第２のガイド板４Ｃと、この第２のガイド板４Ｃを通路幅方向の複数位置で選択的に係止保持する第２通路幅変更操作手段Ｊとを備えている。【選択図】        図２
2005227997.tif 000002
【特許請求の範囲】
【請求項１】
複数の商品を上下方向に積重ね収納可能な収納搬送通路に対して，商品投入口から投入された商品を転動供給する傾斜導入通路が、可動ガイド側板と固定ガイド側板と傾斜通路板から構成されている自動販売機の商品投入案内装置であって、
一方の可動ガイド側板を通路幅方向の複数位置で選択的に係合保持することにより、他方の側板との間の通路幅を変更する第１通路幅変更操作手段と、この可動ガイド側板にて設定された最小通路幅を可動ガイド側板からさらに複数の通路幅に変更する第２のガイド板と、この第２のガイド板を通路幅方向の複数位置で選択的に係止保持する第２通路幅変更操作手段とを備えた自動販売機の商品投入案内装置。
【請求項２】
前記第２通路幅変更操作手段が、可動ガイド側板と第２のガイド板との間に形成されていて，可動ガイド側板と第２のガイド板とが通路幅方向に一体的に移動可能に構成されている請求項１記載の自動販売機の商品投入案内装置。
【請求項３】
前記第２のガイド板が、可動ガイド側板よりも短尺である請求項１又は請求項２記載の自動販売機の商品投入案内装置。
【請求項４】
前記可動ガイド側板には、収納搬送通路内に配備された幅調整板が連動手段を介して連結されている請求項１、２又は請求項３記載の自動販売機の商品投入案内装置。
【発明の詳細な説明】
【技術分野】
【０００１】
本発明は、複数の商品を上下方向に積重ね収納可能な収納搬送通路に対して，商品投入口から投入された商品が傾斜導入通路を介して転動供給するように構成されている自動販売機の商品投入案内装置に関する。
【背景技術】
【０００２】
この種の自動販売機の商品投入装置としては、奥側の収納搬送通路に向って下降傾斜する傾斜導入通路を構成する傾斜通路底板と、この傾斜通路底板の左右両側に上方に立ち上げ状態に配備された互いに接近離反移動可能であるとともに、手前の商品投入口から奥側の収納搬送通路に至る長さを有する可動ガイド側板から構成され、長さの異なる商品の両端を可動ガイド側板にガイドさせながら、投入された商品を，傾斜通路底板を転動させて収納搬送通路に搬入可能に構成されたものが存在している（例えば、特許文献１参照）。
また、このような商品投入装置においては（例えば、特許文献２参照）、収納搬送通路の左側を除く上下通路部分に、搬入された商品を支持する湾曲ガイド板が、上下方向に沿って前後に対向する配置状態に配備されているとともに、収納搬送通路の左側空間に上下方向に沿って搬入された商品の左端をガイドするための幅調整板が、リンク機構等を介して右側の側板との通路幅を変更可能に構成されている。
前記湾曲ガイド板は、収納搬送通路の手前側に配備された固定湾曲ガイド板と、この固定湾曲ガイド板の対向する奥側に横軸回りに揺動自在に配備され、収納搬送通路内に湾曲ガイド面が臨んで、搬入商品を揺動しながら受止めて搬入商品における落下スピードの緩慢化を図った可動湾曲ガイド板とから構成されている。
前記固定湾曲ガイド板は、収納搬送通路の全幅に亘って配備され、前記可動湾曲ガイド板は、収納搬送通路の幅調整板の幅調整領域を除く通路幅に亘って配備されて、収納搬送通路に搬入された商品を固定湾曲ガイド板と可動湾曲ガイド板と幅調整板とによって受止め支持される構造になっている。
このような構造の自動販売機の商品投入装置において、可動湾曲ガイド板の幅長さを最小長さの商品の寸法に設定することによって、幅調整板を最大長さの商品から最小長さの商品に至るまで、傾斜導入通路の左側の可動ガイド側板のみを位置変更して、対向する左側のガイド側板と他方のガイド側板に商品をガイドさせて、収納搬送通路へ商品を搬入し、収納搬送通路において、固定湾曲ガイド板と可動湾曲ガイド板と幅調整板とによって商品を受止め支持することが可能なように思われるが、実際のところ、このように短い幅長さの可動湾曲ガイド板では、商品が長ければ長い程、受止め部分の比率が低くなり安定的に受止め支持することができない。
このような事情によって、最小から最大の長さに至る商品に対応して安定的に受止め支持するためには、少なくとも、最大の長さの商品を安定的に受止め支持することができる幅長さの可動湾曲ガイド板が必要であり、現実には、最大の長さの商品を受止め支持可能となる最小必要幅長さの可動湾曲ガイド板が採用されている。
しかし、このような構造の自動販売機の商品投入装置では、最大長さの商品から可動湾曲ガイド板の最小必要幅長さに至る長さの商品まで、幅調整板を位置変更して商品を安定的にガイドすることができる反面、可動湾曲ガイド板よりも長さが短い短尺商品では、可動湾曲ガイド板と幅調整板とが干渉するため、幅調整板を最小必要幅長さから更に短尺方向に位置変更することができないので、幅調整板と連結している可動ガイド側板（例えば、特許文献２、図２５参照）を、このような商品に対して最適な位置に変更設定することができない。
そのため、従来のこの種の自動販売機の商品投入装置においては、可動湾曲ガイド板の長さより短い寸法の商品に対しては、前記可動ガイド側板と対向する側に、別途に可動ガイド側板を設け、この可動ガイド側板を位置変更操作して左右の可動ガイド側板に商品をガイドさせることによって、収納搬送通路に商品を安定的に搬入することができる構成が採用されているのである。
このように、従来の自動販売機の商品投入案内装置においては、金属缶、瓶ボトル、ＰＥＴボトル等の飲料商品の異なる商品長さに応じて、左右の可動ガイド側板を位置変更して所望の傾斜導入通路の通路幅にして、商品を投入口から傾斜導入経路経由でガイドして収納搬送通路に搬入することが可能となっている。
【０００３】
【特許文献１】特開２００３−２２８７５３号公報（第３頁、図１，図２）
【特許文献２】特開２００３−２３３８６５号公報（第６―８頁、第１０頁、図１，図３、図４，図２５）
【発明の開示】
【発明が解決しようとする課題】
【０００４】
しかしながら、このような構造の商品投入案内装置では、投入商品の長さに合わせて、左右の可動ガイド板の両方を位置変更しない幅変更か、左側の可動ガイド板のみを位置変更する幅変更か、左右の可動ガイド板の両方を位置変更する幅変更が行われることになり、特に、左右の可動ガイド板の両方を位置変更する場合、左右の可動ガイド板をどの設定位置に変更するかが、直観的にわかりにくい問題があり、商品投入口の通路幅を変更する際の作業性悪く、使い勝手が悪い問題がある。
また、この種の商品投入案内装置を備えた自動販売機においては、二つの収納搬送通路が一つのコラムユニットを形成し、このコラムユニットが機体の奥行き方向に沿って複数が配列状態に存在する構造になっており、しかも、機種によってコラムユニットの配列数は異なっているものが存在する商品体系になっている。
そのため、配列数が異なる機種毎の製作に対しては、長さが異なる専用の傾斜導入通路や可動ガイド側板と言った専用部品が必要であり、部品の共通化や標準化等を妨げる要因になっており、現状においては製作手間等によって、製作性やコスト性が悪い問題がある。
本発明は上記の事情に鑑みてなされたものであり、その目的とするところは、商品投入口における通路幅の変更作業を直観的に分かりやすい操作体系にして、使い勝手の向上を図った自動販売機の商品投入案内装置を提供する点にある。
【課題を解決するための手段】
【０００５】
本発明の第１番目の自動販売機の商品投入案内装置の特徴構成は、複数の商品を上下方向に積重ね収納可能な収納搬送通路に対して，商品投入口から投入された商品を転動供給する傾斜導入通路が、可動ガイド側板と固定ガイド側板と傾斜通路板から構成され、一方の可動ガイド側板を通路幅方向の複数位置で選択的に係合保持することにより、他方の固定ガイド側板との間の通路幅を変更する第１通路幅変更操作手段と、この可動ガイド側板にて設定された最小通路幅を可動ガイド側板からさらに複数の通路幅に変更する第２のガイド板と、この第２のガイド板を通路幅方向の複数位置で選択的に係止保持する第２通路幅変更操作手段とを備えた点にある。
【０００６】
上記特徴構成によれば、傾斜導入通路の通路幅を、最大通路幅から最小通路幅までの広い範囲に亘って、第２のガイド板から他方の固定ガイド側板までの通路幅のみで決定することができるので、従来のように左右の可動ガイド板の両方を設定位置に変更するような作業を無くすことができる。
また、可動ガイド側板による幅変更においては、他方の固定ガイド側板との間隔によって傾斜投入通路の通路幅を認識することができるとともに、第２のガイド板による幅変更においては、可動ガイド側板との間隔と、他方の固定ガイド側板との間隔によって傾斜投入通路の通路幅を認識することができる。しかも、可動ガイド側板に設定された最小通路幅までと、この最小通路幅位置から第２のガイド板にて設定された最小通路幅までが同じ幅側で２系統に分かれているので、何れの系統の通路幅かを直視的に判別してから、細部の通路幅に位置変更することができる。
【０００７】
従って、商品投入口における通路幅の変更作業を直観的に分かりやすい操作体系にすることができるので、使い勝手の向上を図ることができる。
【０００８】
本発明の第２番目の自動販売機の商品投入案内装置の特徴構成は、前記第２通路幅変更操作手段が、可動ガイド側板と第２のガイド板との間に形成されていて，可動ガイド側板と第２のガイド板とが通路幅方向に一体的に移動可能に構成されている点にある。
【０００９】
上記特徴構成によれば、可動ガイド側板にて設定された最小通路幅の変更においては、第２のガイド板と一体的に移動することができ、第２のガイド板にて設定された最小通路幅の変更においては，可動ガイド側板上で第２のガイド板を幅縮小方向に移動することができる。
【００１０】
従って、通路幅の変更は、傾斜導入通路に一体的に備えられている可動ガイド側板と第２のガイド板によって行なうことができ、例えば、可動ガイド側板の最小幅よりも最小通路幅に変更する場合に、別途に用意した専用のガイド板を用いる使用構成に比べて、使い勝手がよいとともに、傾斜導入路に専用のガイド板のための通路幅変更手段を別途に形成する必要がなく、部材の役割分担が明確となるので、通路幅変更操作における取扱い性の向上を図ることができる。
【００１１】
本発明の第３番目の自動販売機の商品投入案内装置の特徴構成として、前記第２のガイド板が、可動ガイド側板よりも短尺である点にある。
【００１２】
上記特徴構成によれば、第２のガイド板によって、商品の投入時点から投入初期にかけての不安定な商品の転動状態から安定な転動状態に至る過程に対応して、商品をガイドすることができるので、傾斜導入通路の全長に亘る長さのガイドを用いなくとも商品を搬送することができる。
また、例えば、特に、瓶口を備えるガラスボトルやＰＥＴボトル等の飲料商品が投入商品であり、傾斜導入路に収納搬送通路に至る長さの可動ガイド側板が配設されている場合、投入商品の長さが短くなればなる程（投入商品の胴体部分の長さが短くなればなる程）、一端の瓶口部分が可動ガイド側板と干渉して、一端の瓶口部分を中心として他端の反瓶口側が円弧軌跡状に転がる、所謂、横回りが生じやすくなるが、第２のガイド板が短尺であること、及び、投入商品の瓶口部分を第２のガイド板に向けることによって、商品の転動を安定して行わせた後は、反って、この横回りを防止しながら、収納搬送通路に商品を送り込むことができる。
【００１３】
従って、長さの異なる夫々の傾斜導入通路に対して、共通長さの短尺のガイド板を使用することができるので、部品種類を少なくすることができ、且つ、搬送品質の信頼性を高めることができる。
【００１４】
本発明の第４番目の自動販売機の商品投入案内装置の特徴構成は、前記可動ガイド側板には、収納搬送通路内に配備された幅調整板が連動手段を介して連結されている点にある。
【００１５】
上記特徴構成によれば、第２のガイド板が一体化された可動ガイド側板を通路幅変更することに連動して、収納搬送通路内における幅調整板の幅変更することができる。
【００１６】
従って、第２のガイド板の存在に邪魔されずに、可動ガイド側板を幅変更操作することによって幅調整板の通路幅を変更することができるので、部品点数を有しながらも複雑な操作を行うことなく、幅調整板の幅変更を行うことができる。
【発明を実施するための最良の形態】
【００１７】
以下、本発明を適用した自動販売機の商品投入案内装置を図面に基づいて説明する。
【００１８】
〔実施形態〕
図１〜図１２は自動販売機の商品投入案内装置の一例を示し、断熱壁で囲繞されるキャビネットの庫内に、飲料缶や飲料瓶、ペットボトル等の複数の商品Ｇを下方に払出し可能な状態でほぼ上下方向に沿って積重ね収納するための収納搬送通路Ｓを備えた商品収納コラムを前後方向で二列形成してあるコラムユニットＵ１の三つが、前後方向から吊下げ状態で脱着可能に組付けられているとともに、各商品収納コラムの収納搬送通路Ｓの上部には、商品Ｇを投入する商品投入口１が前方に向かって開口され、各収納搬送通路Ｓの下部には、商品払出指令信号（販売指令信号）に基づいて最下端から二番目に位置する商品Ｇを受止めながら最下端に位置する商品Ｇを一つずつ払い出す商品払出機構Ａが設けられている。
【００１９】
また、前記各商品収納コラムの収納搬送通路Ｓのうち、前から二列目以降に位置する収納搬送通路Ｓの上部と商品投入口１とを斜めに接続するための傾斜導入通路Ｓ１を形成する商品導入ガイド４が設けられている。
【００２０】
各商品導入ガイド４は、収納搬送通路Ｓに臨む左右側板２，２間に架設され、奥側ほど少し下方に位置する傾斜姿勢の傾斜通路板である傾斜底板４Ａと、商品導入ガイド４と平行に収納搬送通路Ｓの入口を覗く長さに亘るガイド面を形成するとともに、後述する収納搬送通路Ｓ内に配備された幅調整板５と連係され、傾斜導入通路Ｓ１の通路幅Ｗを変更可能な可動ガイド側板４Ｂと、この可動ガイド側板４Ｂに対向する固定ガイド側板である右側の側板２とから構成されている。
【００２１】
前記商品投入口１から投入された商品Ｇは、商品導入ガイド４の傾斜底板４Ａ上を転動しながら収納搬送通路Ｓの上部に移入し、収納搬送通路Ｓの前後に対向状態で、且つ、上下方向に沿って交互に複数配置された湾曲ガイド板３を介して蛇行しながら商品払出機構Ａ側へ搬送される。
【００２２】
前記湾曲ガイド板３は、収納搬送通路Ｓの手前側に配備された固定湾曲ガイド板３Ａと、この固定湾曲ガイド板３Ａの対向する奥側に横軸回りに揺動自在に配備され、収納搬送通路Ｓ内に湾曲ガイド面が臨んで、搬入商品Ｇを揺動しながら受止めて搬入商品Ｇにおける落下スピードの緩慢化を図った可動湾曲ガイド板３Ｂとから構成され、商品Ｇの品質保全や騒音低減化等が図られている。
また、前記固定湾曲ガイド板３Ａは、収納搬送通路Ｓの全幅に亘って配備され、前記可動湾曲ガイド板３Ｂは、収納搬送通路Ｓの幅調整板５の幅調整領域を除く長さ幅に亘って配備されて、収納搬送通路Ｓに搬入された商品Ｇを、固定湾曲ガイド板３Ａと可動湾曲ガイド板３Ｂと幅調整板５とによって受止め支持される構造になっている。
【００２３】
図１〜図５に示すように、複数の商品Ｇを積重ね収納する商品収納コラムの収納搬送通路Ｓ内には、平行リンク機構（図示せず）を介して、通路幅Ｗを商品Ｇの長さに応じて変更するべく、収納搬送通路Ｓの上端近くから下端部にまで及ぶ長さを有するとともに、通路幅方向に配設された後述するガイド部材２６，２７に沿ってスライド可能な幅調整板５が配設されている。
【００２４】
図１、図１１に示すように、最前列の商品収納コラム内に配設される幅調整板５の上部には、これを上下方向及び通路幅方向に移動操作するための円形の指掛け操作孔８が形成されている。
【００２５】
また、最前列の商品収納コラムの商品搬送通路Ｓ内に配置される幅調整板５の上部には、横断面形状が略し字状の第３ガイド部材２６が水平方向から挿入される略し字状の第２ガイド孔２８が貫通形成されている。
【００２６】
図１、図１２に示すように、二列目の商品収納コラム内に配設される可動ガイド側板４Ｂには、これと幅調整板５とを上下方向及び通路幅方向に移動操作するための円形の指掛け操作孔２５が形成されている。
【００２７】
二列目の商品収納コラム内に配設される幅調整板５の上部には、幅調整板５と同じ左側に位置する側板２に並列配置された可動ガイド側板４Ｂに切り起こし形成された第１係止片２０と係合する第１取付け孔２１と、可動ガイド側板４Ｂの先端に折り曲げ形成された第２係止片２２と係合するスリット状の第２取付け孔２３とを貫通形成するとともに、可動ガイド側板４Ｂには、幅調整板５の前側縁の上方二箇所に係合して、第１係止片２０及び第２係止片２２との協働により、幅調整板５と可動ガイド側板４Ｂとを上下方向及び通路幅方向に一体的に移動可能な状態で固定連結するための一対の第３係止片２４が切り起こし形成されている。
【００２８】
また、二列目の商品収納コラムの商品搬送通路Ｓ内に配置される幅調整板５の上部には、丸パイプ状の第４ガイド部材２７が水平方向から挿入される第２ガイド孔２８と同一形状の第３ガイド孔２９が貫通形成され、更に、三列目以降の各商品収納コラムの商品搬送通路Ｓ内に配置される幅調整板５の上部には、丸パイプ状の第４ガイド部材２７が水平方向から挿入される第４ガイド孔３０が貫通形成されている。
【００２９】
図２〜図１０に示すように、三列目以降の商品収納コラム内に配設される各幅調整板５の上部には、商品導入ガイド４に配備された可動ガイド側板４Ｂの奥端部分に，連結手段である平面視L字状の折り曲げ片から形成された挟持片４０が、上下方向に相対移動可能な弾性挟持状態で嵌合保持されていて、幅調整板５と可動ガイド側板４Ｂとを一体的に通路幅方向に移動操作できるように構成されている。
【００３０】
前記両側板２の上部に亘って、図１１に示すように、最前列の商品収納コラムには、商品搬送通路Ｓ内に配設される幅調整板５を吊下げ支持状態で通路幅方向に沿って水平に移動案内する板金製の第３ガイド部材２６が設けられている。図９,図１０、図１２に示すように、前から二列目以降の商品収納コラムの商品搬送通路Ｓ内には、幅調整板５を吊下げ支持状態で通路幅方向に沿って水平に移動案内するパイプ状の第４ガイド部材２７が架設されている。
【００３１】
最前列の商品収納コラムの商品搬送通路Ｓに位置する第３ガイド部材２６と幅調整板５との間には、幅調整板５を複数の通路幅変更操作位置で選択的に係止保持可能で、かつ、持ち上げ操作によって係止解除される最前列用係止手段Ｆが設けられている。前記最前列用係止手段Ｆは、図１１に示すように、第３ガイド部材２６の複数の通路幅変更操作位置（図示せず）に対応する箇所に形成された係止孔２６ａと、該係止孔２６ａに対して上から選択的に落し込み係合可能な状態でガイド孔２８の内周縁の一部に形成された係止片３１とから構成されている。
【００３２】
そのため、最前列の商品収納コラムの場合では、幅調整板５を直接に上方に持ち上げると最前列用係止手段Ｆが係止解除され、幅調整板５がスライド操作可能であるとともに、複数の通路幅変更操作位置に対応する箇所に形成された係止孔２６ａの何れかに係止片３１を落し込み係合可能になっている。
【００３３】
前から二列目の商品搬送通路Ｓに対応する商品導入ガイド４の傾斜底板４Ａと可動ガイド側板４Ｂとの間には、図１２に示すように、可動ガイド側板４Ｂに固定又は嵌合されている幅調整板５の複数の通路幅変更操作位置（図示せず）において係止保持することができるように、可動ガイド側板４Ｂを複数の通路幅変更操作位置で選択的に係止保持可能で、かつ、可動ガイド側板４Ｂを上方に移動操作することにより係止解除される二列目係止手段Ｈが設けられている。二列目係止手段Ｈは、商品導入ガイド４の傾斜底板４Ａのうち、複数の通路幅変更操作位置に対応する部位に貫通形成されたスリット状の係止孔３４と、係止孔３４に対して上方から選択的に落し込み係合可能な状態で可動ガイド側板４Ｂに形成された係止片３５とから構成されている。
【００３４】
また、二列目の商品収納コラムの場合では、商品導入ガイド４の可動ガイド側板４Ｂをそれの前端部上方に揺動操作すると、傾斜底板４Ａと可動ガイド側板４Ｂとの間に設けられた二列目係止手段Ｈが係止解除されるが、可動ガイド側板４Ｂと幅調整板５との固定又は嵌合は維持されているため、係止解除操作位置にある可動ガイド側板４Ｂを通路幅方向にスライド操作すると、それに固定又は嵌合保持された幅調整板５も第４ガイド部材２７に沿って通路幅方向に一体的にスライド移動することが可能になっている。
【００３５】
前から三列目以降の商品収納コラムの商品搬送通路Ｓに対応する商品導入ガイド４の傾斜底板４Ａと可動ガイド側板４Ｂとの間には、図２〜図１０に示すように、可動ガイド側板４Ｂに固定又は嵌合されている幅調整板５の複数の通路幅変更操作位置に対応する通路幅変更操作位置Ｐ１〜Ｐ６において係止保持して、一方の可動ガイド側板４Ｂを通路幅方向の複数位置で選択的に係合保持することにより、他方の右側の側板２との間の通路幅Ｗを変更することができるように、可動ガイド側板４Ｂを複数の通路幅変更操作位置Ｐ１〜Ｐ６で選択的に係止保持可能で、かつ、可動ガイド側板４Ｂを上方に移動操作することにより係止解除される三列目以降係止手段である第１通路幅変更操作手段Ｉが設けられている。
【００３６】
前記第１通路幅変更操作手段Ｉは、図５、図６に示すように、三列目以降の可動ガイド側板４Ｂにおいて、傾斜底板４Ａの最前端のカール巻き状の前端軸部４Ａａに回動自在に嵌合可能な回動支持部４Ｂａが前端に形成され、傾斜底板４Ａの板面に左右方向に沿って穿孔された支持スリット４Ａｂに対して、上下動と左右移動可能に嵌合可能なＬ字状の抜け止め片４Ｂｂが底面から突出形成され、傾斜底板４Ａのうち、複数の通路幅変更操作位置Ｐ１〜Ｐ６（図３参照）に対応する部位に貫通形成された前後位置に分かれて形成されたスリット状の係止孔４Ａｃに対して、上方から選択的に落し込み係合可能な係止片４Ｂｃが底面から前後位置に突出形成されて構成されている。
【００３７】
また、三列目以降の可動ガイド側板４Ｂには、この可動ガイド側板４Ｂにて設定された最小通路幅をさらに複数の通路幅Ｗに変更する通路長さよりも短尺の樹脂製のガイド板４Ｃと、この第２のガイド板４Ｃを通路幅方向の複数位置で選択的に係止保持する第２通路幅変更操作手段Ｊが備えられている。ここで、この実施形態では、第２のガイド板４Ｃが樹脂製のものについて説明及び図示したが、板金製であっても、堅質紙製であってもよい。
【００３８】
前記第２通路幅変更操作手段Ｊは、第２のガイド板４Ｃにおいて、三列目以降の可動ガイド側板４Ｂの前端の回動支持部４Ｂａに対して嵌合可能であるとともに、傾斜底板４Ａの前端軸部４Ａａに対して係止可能な係止付きの抜け止め支持部４Ｃａが形成され（図６、図７、図８参照）、可動ガイド側板４Ｂのうち、複数の通路幅変更操作位置Ｐ７〜Ｐ１１に対応する部位に貫通形成されたスリット状の係止孔４Ｂｄに対して、上方から選択的に落し込み係合可能な係止片４Ｃｂが底面から突出形成されて構成され、第２のガイド板４Ｃを通路幅方向の複数位置で選択的に係合保持することにより、他方の固定された側板５との間の通路幅Ｗを変更することができるようになっている。
【００３９】
そして、三列目以降の可動ガイド側板４Ｂの場合、前記第２通路幅変更操作手段Ｊが、可動ガイド側板と第２のガイド板４Ｃとの間に形成されて，可動ガイド側板４Ｂと第２のガイド板４Ｃとが通路幅方向に一体的に移動可能に構成されている。
【００４０】
三列目以降の商品収納コラムの場合では、商品導入ガイド４の可動ガイド側板４Ｂをそれの前端部を支点として上方に揺動操作すると、傾斜底板４Ａと可動ガイド側板４Ｂとの間に設けられた第１通路幅変更操作手段Ｉが係止解除されるが、可動ガイド側板４Ｂと幅調整板５との固定又は嵌合は維持されているため、係止解除操作位置にある可動ガイド側板４Ｂを通路幅方向にスライド操作すると、それに連結手段である後端部の挟持片４０を介して固定又は嵌合保持された幅調整板５も第４ガイド部材２７に沿って通路幅方向に一体的にスライド移動することが可能になっている。
【００４１】
図７,図８に示すように、第２のガイド板４Ｃ自体の板面が可動ガイド側板４Ｂの板面よりも一回り大きくなっているとともに、第２のガイド板４Ｃの底面前部から前面、上面に亘る周縁には可動ガイド側板４Ｂに向けて、可動ガイド側板４Ｂの板厚さ程度の寸法のリブ４Ｃｃが形成され、また、第２のガイド板４Ｃの上面後方部分には、可動ガイド側板４Ｂの対応する上面板縁部分の上面から外側面に亘って抱き込み可能な下向きコの字状の抱き込み片４Ｃｄが形成されている。
【００４２】
そのため、可動ガイド側板４Ｂの回動支持部４Ｂａに対して第２のガイド板４Ｃの抜け止め支持部４Ｃａを、第２のガイド板４Ｃの後部が上動するように回動及び回動支持部４Ｂａに沿って離隔することによって、近接対峙する可動ガイド側板４Ｂに対して第２のガイド板の４Ｃのリブ４Ｃｃと抱き込み片４Ｃｄの拘束を解いて両者の一体化を解除することができるとともに、反対に、可動ガイド側板４Ｂに回動支持部４Ｂａに沿って近接して、第２のガイド板４Ｃの後部が下動するように回動することによって、近接対峙する可動ガイド側板４Ｂに対して第２のガイド板４Ｃのリブ４Ｃｃと抱き込み片４Ｃｄの拘束によって両者を一体化することができるようになっている。
【００４３】
最大幅の通路幅変更操作位置Ｐ１から可動ガイド側板４Ｂで設定可能な最小幅の通路幅変更操作位置Ｐ６に至るまでの位置変更は、第２のガイド板４Ｃと一体化状態で実施可能になっており、第２のガイド板４Ｃの左側の側板２に対向する面が商品ガイド面になっている。
【００４４】
また、第２のガイド板４Ｃに設定された最大幅の通路幅変更操作位置Ｐ７から最大幅の通路幅変更操作位置Ｐ１１に至る位置変更は、可動ガイド側板４Ｂに設定された最小通路幅からの第２のガイド板４Ｃの一体化が解除された状態で実施可能になっている。
【００４５】
前記第２のガイド板４Ｃは、この実施形態においては、図１に示すように、一つのコラムユニットＵ１における側板２の前後長さL程度の長さに設定されている。これは、この長さの第２のガイド板４Ｃを用いることによって、商品Ｇの投入時点から投入初期にかけての不安定な商品Ｇの転動状態から安定な転動状態に至る過程に対応して、商品Ｇをガイドすることができる。
【００４６】
また、例えば、特に、瓶口を備えるガラスボトルやＰＥＴボトル等の飲料商品が投入商品Ｇであり、傾斜導入路に収納搬送通路に至る長さの可動ガイド側板が配設されている場合、投入商品Ｇの長さが短くなればなる程（投入商品Ｇの胴体部分の長さが短くなればなる程）、一端の瓶口部分が可動ガイド側板と干渉して、一端の瓶口部分を中心として他端の反瓶口側が円弧軌跡状に転がる、所謂、横回りが生じやすくなるが、第２のガイド板４Ｃが短尺であること、及び、投入商品Ｇの瓶口部分を第２のガイド板４Ｃに向けることによって、商品Ｇの転動を安定して行わせた後は、反って、この横回りを防止しながら、収納搬送通路Ｓに商品Ｇを送り込むことができる。ここで、自動販売機においては、瓶口部分を左に向けて商品Ｇを投入することが市場的に標準となっており、投入商品Ｇの瓶口部分を第２のガイド板４Ｃに向けること自体を特別に意識したり、注意を要したりする必要がなく、自然な流れで商品Ｇの投入作業を能率よく実施することができる。
【００４７】
従って、長さの異なる夫々の傾斜導入通路に対して、共通長さの短尺のガイド板を使用することができるので、部品種類を少なくすることができ、且つ、搬送品質の信頼性を高めることができる。
【図面の簡単な説明】
【００４８】
【図１】本発明による自動販売機の商品収納払出装置の第１実施形態を示す商品収納装置全体の断面図
【図２】可動ガイド側板に設定された最大通路幅に位置する商品投入案内装置の平断面図
【図３】可動ガイド側板に設定された最小通路幅に位置する商品投入案内装置の平断面図
【図４】第２のガイド板に設定された最小通路幅に位置する商品投入案内装置の平断面図
【図５】傾斜底板と可動ガイド側板と第２のガイド板の関係を平面視状態で示す説明図
【図６】傾斜底板と可動ガイド側板と第２のガイド板の関係を側面視状態で示す説明図
【図７】商品収納払出装置の簡略側断面図
【図８】第２のガイド板を回動した状態の商品収納払出装置の簡略側断面図
【図９】可動ガイド側板と幅調整板との関係を示す商品収納払出装置の簡略側断面図
【図１０】操作状態の可動ガイド側板と幅調整板との関係を示す商品収納払出装置の簡略側断面図
【図１１】（イ）最前列の幅調整板が係合状態にあるときの側面図  （ロ）最前列の幅調整板が係合解除操作されたときの側面図
【図１２】（イ）最前列の幅調整板が係合状態にあるときの側面図  （ロ）最前列の幅調整板が係合解除操作されたときの側面図
【符号の説明】
【００４９】
Ｇ        商品
Ｓ        収納搬送通路
Ｓ１      傾斜導入通路
Ｉ        第１通路幅変更操作手段
Ｊ        第２通路幅変更操作手段
Ｋ        通路幅変更操作手段
Ｗ        通路幅
Ｌ        収納搬送通路における奥行き長さ
１        商品投入口
２        固定ガイド側板（右側の側板）
４Ａ      傾斜通路板（傾斜底板）
４Ｂ      可動ガイド側板
４Ｃ      第２のガイド板
４０      連結手段（挟持片）
【図１】
2005227997.tif 000003
【図２】
2005227997.tif 000004
【図３】
2005227997.tif 000005
【図４】
2005227997.tif 000006
【図５】
2005227997.tif 000007
【図６】
2005227997.tif 000008
【図７】
2005227997.tif 000009
【図８】
2005227997.tif 000010
【図９】
2005227997.tif 000011
【図１０】
2005227997.tif 000012
【図１１】
2005227997.tif 000013
【図１２】
2005227997.tif 000014